(57)【要約】【課題】ジャバラ状にして多数の表示が記載できるようにし、これを捲って顕在化させるようにしたカラクリパネルを提供する。【解決手段】カラクリパネル３０１がジャバラ式３０２に折り畳まれたもので、本体３０３と本体３０３に挿入する各スライド体３０４とからなり、本体３０３は横に平行なスリット筋３０７を穿設してなり、前記スライド体３０４をスリット筋３０７に平織状に浮沈させて挿入し、本体３０３とスライド体３０４に予め記載した多数の表示を、スライド体３０４の摺動で探索するようにしたカラクリパネル３０１と、また、カラクリパネル４０１がジャバラ式４０２に折り畳まれたもので、本体４０３と本体４０３に挿入する各スライド体４０４とからなり、本体４０３は横に平行なスリット筋４０７を穿設してなり、前記スライド体４０４をスリット筋４０７に平織状に浮沈させて挿入し、本体４０３とスライド体４０４に予め記載した多数の表示を、本体４０３の重なったパネル間も開きうるようにしたカラクリパネル４０１とを構成するものである。【選択図】図２
2005270140.tif 000002
【特許請求の範囲】
【請求項１】
ジャバラ式に折り畳まれたものであって、本体と該本体に挿入する各スライド体とからなり、前記本体は横に平行なスリット筋を穿設してなり、前記スライド体をスリット筋に平織状に浮沈させて挿入し、前記本体と前記スライド体に予め記載した多数の表示を、前記スライド体の摺動で探索するようにしたことを特徴とするカラクリパネル。
【請求項２】
ジャバラ式に折り畳まれたものであって、本体と該本体に挿入する各スライド体とからなり、前記本体は横に平行なスリット筋を穿設してなり、前記スライド体をスリット筋に平織状に浮沈させて挿入し、前記本体と前記スライド体に予め記載した多数の表示を、前記本体の重なったパネル間も開きうるようにしたことを特徴とするカラクリパネル。
【請求項３】
カラクルパネルが、手動で開く本である請求項１または２記載のカラクリパネル。
【請求項４】
カラクルパネルが、動力で開く表示板である請求項１または２記載のカラクリパネル。
【請求項５】
記載された表示が、数字・絵・文字からなる単語やアイドルや国と首都名や広告から選択される少なくとも１種の表示である請求項１または２記載のカラクリパネル。
【発明の詳細な説明】
【技術分野】
【０００１】
本発明は、記載した数字や絵や文字の表示が一部隠されており、これを探索ないし開きうるようにしたカラクリパネルに関するものである。
【背景技術】
【０００２】
数字を表示しておき、ある数字がどこに隠されているか探すようにするカラクリパネルは、興味ある知恵玩具となりうる。また幼稚園児に、絵でみせて名前等を当てさせるようにすれば、教育的な玩具となりうる。さらに多数の英単語をコンパクトに記載したり、国に対応する首都名を当てさせるようにすれば、勉強や思考力を働かせるせるのに役立つことができる。
【０００３】
一部を隠すようにしたカラクリパネルの先行技術としては、開閉板を用いたものがある（例えば、実公昭１０−１６１５７号公報）。
また、開口窓のあるマスク体を摺動させた表示具の先行技術も公知である（例えば、実開昭６４−４８２７７号公報）。
更に、刳り貫いた窓穴に数字盤を表出させた絵本の先行技術も公知である（例えば、実開昭６１−５１８９９号公報）。
しかしこれ等は、多数の表示をコンパクトに纏めたものではなかった。
【特許文献１】実公昭１０−１６１５７号公報
【特許文献２】実開昭６４−４８２７７号公報
【特許文献３】実開昭６１−５１８９９号公報
【０００４】
一方、数字等の表示が多数の場合には、お教本のようにジャバラ式に折り畳んだ本にしておくことが便利である。
【０００５】
ジャバラ式に製本した先行技術としては、表示部を段設にした手帳がある（例えば、実開平５−５６４６３号公報）。
また、ジャバラ式に折り畳んだアルバムの先行技術も開示されている（例えば、意匠登録第１１７９２５２号公報）。
【特許文献４】実開平５−５６４６３号公報
【特許文献５】意匠登録第１１７９２５２号公報
【０００６】
しかし、これらは単なるジャバラ本であって、スライド体を摺動や頁間の開きによって、予め記載した多数の表示を、捲って顕在化させるものではない。
【発明の開示】
【発明が解決しようとする課題】
【０００７】
上記の事情に鑑み本発明は、ジャバラ状にして多数の表示が記載できるようにし、これを捲って顕在化させるようにしたカラクリパネルの提供を課題とする。
【課題を解決するための手段】
【０００８】
本発明は上記課題を達成するために、ジャバラ式に折り畳まれたものであって、本体と本体に挿入する各スライド体とからなり、本体は横に平行なスリット筋を穿設してなり、前記スライド体をスリット筋に平織状に浮沈させて挿入し、本体とスライド体に予め記載した多数の表示を、スライド体の摺動で探索するようにしたカラクリパネルを構成するものである。
【０００９】
また本発明は上記課題を達成するために、ジャバラ式に折り畳まれたものであって、本体と本体に挿入する各スライド体とからなり、本体は横に平行なスリット筋を穿設してなり、前記スライド体をスリット筋に平織状に浮沈させて挿入し、本体とスライド体に予め記載した多数の表示を、本体の重なったパネル間も開きうるようにしたカラクリパネルを構成するものである。
【発明の効果】
【００１０】
本発明のカラクリパネルは、ジャバラ式にしたので、多数の表示を記載することができた。
【００１１】
本発明のカラクリパネルは、本体に挿入するスライド体を設けたので、スライド体を摺動させることによって、隠れた記載を顕在化させることができる。
【００１２】
本発明のカラクリパネルは、本体に横のスリット筋を穿設し、スライド体を平織状に浮沈さして挿入したため、重なったパネル間も開きうるようにすることができる。
【００１３】
本発明のカラクリパネルは、教育や考える智恵玩具として、隠れ扉による探索の興味をそそるものとなっている。
【００１４】
本発明のカラクリパネルは、絵本を始めとする本形式にして、手動で捲ることもでき、あるいは小型から大型のパネル状にした遊戯機や広告塔にして、動力で作動させるようにすることもできる。
【発明を実施するための最良の形態】
【００１５】
以下、本発明の実施形態を図に基づいて詳しく説明する。
【実施例１】
【００１６】
図１は、本発明の本からなるカラクリパネルを俯瞰した一実施例の斜視図、図２は、本発明のカラクリ本の本体と、本体に挿入する各スライド体を示す分解平面図、図３は、本発明の本体に各スライド体を挿入した状態を示す平面図である。図４は、本発明の本体に挿入した各スライド体を、摺動した状態を示す平面図、図５は、本発明の本体に、各スライド体を挿入した状態を示す背面図、図６は、本発明の本体に挿入した各スライド体を、摺動した状態を示す背面図である。
【００１７】
実施例１では、スライド体の摺動によって、多数の表示を探索しうるという点を主体に本の例で説明する。本実施例に表示の数字は、１から２９０迄の多数の数字が記載されている。
【００１８】
カラクリ本３０１は、お経本と同じようにジャバラ式３０２の折り畳み本で、本体３０３と本体３０３に挿入するスライド体３０４とからなっている。本体３０３の各頁３０３ａ…３０３ｄとこれに対応する各スライド体３０４ａ…３０４ｄには、夫々数値が記載されている。そして本体３０３は、各数値間を表表紙３０５と裏表紙３０６を残して、横に何筋かの均等で平行なスリット筋３０７…３０７によって穿設し、１…９と横に分割されている。
【００１９】
図２の場合では、本体３０３の左の頁３０３ａの一番左の縦の列には、上から、８２，２，８４，４，８６，６，８８，８，９０の数値が記載されている。そして、これに対応するスライド体３０４ａの左の列には、上から、１，１４１，３，１４２，５，１４３，７，１４４，９の数値が記載されている。
【００２０】
そして本体３０３に、スライド体３０４を挿入すると、左の頁の本体３０３ａとスライド体３０４ａの場合は、本体３０３ａの数値８２の横列（１）では、スライド体３０４ａの方を上に浮かして挿入する。従って数値８２は、隠れた状態になる。また、次の本体３０３ａの数値２の横列（２）では、スライド体３０４ａの方を下に沈めて挿入するので、数値２は表れる。以下交互に、平織状に浮沈させて挿入する。
【００２１】
そして、次の頁の本体３０３ｂとスライド体３０４ｂでは、本体３０３ｂの数値１０の横列（１）では、スライド体３０４ｂの方を下に沈めて挿入する。従って数値１０は、顕在化して上に出る。また、次の本体３０３ｂの数値７４の横列（２）では、スライド体３０４ｂの方を上に浮かして挿入する。従って数値７４は、スライド体３０４ａによって隠れた状態になる。以下交互に、平織状に浮沈させて挿入する。
【００２２】
図３は、このようにして本体３０３ａ…３０３ｄに、各スライド体３０４ａ…３０４ｄを挿入した状態を示している。一見ばらばらに見えた数値は、本体３０３ａの場合、左の列は上から３０４ａの１，３０３ａの２…３０４ａの９と整然とした配列になっている。一方、本体３０３ｂの場合、左の列は上から３０３ｂの１０，３０４ｂの１１…３０３ｂの１８と整然とした配列になっている。
【００２３】
一方、３０３ａと３０４ａ等の右の縦列は、数値を上下に逆向きにされている。従って、ここに記載された２４４，２４５等の数値を探す際には、カラクリ本３０１の上下を逆にして探し出す必要がある。このように同じ一頁内も、数値を逆向きにすることによって新たな数値が表れるため、カラクリ本３０１内には、多数の数値が表示されている。
【００２４】
次の図４は、本体３０３に挿入しているスライド体３０４を、一駒だけ上に引き抜いて摺動させた状態を示している。本体３０３ａとスライド体３０４ａの左の列では、スライド体３０４ａによって隠されていた一番下の本体３０３ａの数値９０が、表れることになる。また、本体３０３ａによって隠されていたスライド体３０４ａ内に予め記載されていた１４１…１４４等の数値も表れる。このようにスライド体３０４の摺動によって、予め記載されていた多数の表示が、何処に隠されているかを探索することができる。
【００２５】
次の図５は、本発明のカラクリ本１を裏返した背面図である。ここにも数値が記載されている。例えば、スライド体３０４ａ’の挿入された本体３０３ａ’の場合、左の列は上から３７…４５と整然とした配列になっている。また右の列も逆向きに、下から１７２…１８０と整然とした配列になっている。
【００２６】
図６は、本体３０３に挿入しているスライド体３０４を、一駒だけ上に引き抜いて摺動させた状態を示している。本体３０３ａ’とスライド体３０４ａ’の左の列では、スライド体３０４ａ’によって隠されていた一番下の本体３０３ａ’の数値１２６が、表れることになる。また、本体３０３ａ’によって隠されていたスライド体３０４ａ’内に予め記載されていた１０５…１０８等の数値も表れる。このようにスライド体３０４の摺動によって、予め記載していた多数の表示が、何処に隠されているかを探索することも興味深い遊びとなる。
【実施例２】
【００２７】
図７は、本発明の本からなるカラクリパネルを引き伸ばして俯瞰した別の例を示す斜視図、図８は、図７の本発明のカラクリ本を縮め本体の重なった頁間を開く途上の俯瞰した斜視図である。図９は、図８の本発明のカラクリ本で開かれている頁を拡大したもので、（イ）は表紙裏面の拡大平面図、（ロ）は開かれた頁の拡大平面図、（ハ）は裏表紙裏面の拡大平面図である。図１０は、図７の本発明のカラクリ本の本体と、本体に挿入する各スライド体を示す分解平面図、図１１は、図７の本発明のカラクリ本の本体と、本体に挿入する各スライド体を示す分解背面図、図１２は、図７の本発明の本体に各スライド体を挿入した状態を示す平面図である。図１３は、図１２を矢印Ａの方向に縮めた状態を示す平面図、図１４は、図１３を矢印Ｂ，Ｂの方向に中の頁を広げた状態を示す平面図、図１５は、図７の本発明の本体に各スライド体を挿入した状態を示す背面図、図１６は、図１５を矢印Ｃ，Ｃの方向に畳んだ状態を示す背面図である。
【００２８】
実施例２では、本体の重なった頁間を開くことによって、多数の表示を顕在化しうるという点を本の例を主体に説明する。
【００２９】
図７のように、このカラクリ本４０１も、お経本と同じようにジャバラ式４０２の折り畳み本になっている。図８は、図７のカラクリ本４０１を縮めたもので、重なった頁間も開きうることを示している。表表紙４０５には、図９（イ）のように答えである世界の国の首都名が、図９（ロ）からみて逆向きに記載されている。また、裏表紙４０６には、図９（ハ）のように答えである残り世界の国の首都名が逆向き記載されてある。逆さに記載したのは、考えさせるためで、すぐには答えを見せないようにしたものである。
【００３０】
本発明のカラクリ本４０１は、図１０に示すように、本体４０３と本体４０３に挿入するスライド体４０４とからなっている。本体４０３の各頁４０３ａ…４０３ｄとこれに対応する各スライド体４０４ａ…４０４ｄには、夫々世界の国名が記載されている。そして、本体１３は、各数値間を表表紙４０５と裏表紙４０６を残して、横に何筋かの均等で平行なスリット筋４０７…４０７によって穿設し、（１）…（５）と横に分割されている。
【００３１】
図１０の場合には、本体４０３の左の頁４０３ａの縦の列には、上から、４６ドミニカ共和国、２ボスニア・ヘルツェコビナ、４８ドミニカ国、４クロアチア共和国、５０ニュ−ジランドの文字が記載されている。そして、これに対応するスライド体４０４ａの縦の列には、上から、１ギリシャ共和国、７９スリランカ民主社会主義共和国、３ユーゴスラビア、８０モルジブ共和国、５スロベニア共和国の文字が記載されている。
【００３２】
そして本体４０３に、スライド体４０４を挿入するが、左の頁の本体４０３ａとスライド体４０４ａの場合は、次のように挿入する。本体４０３ａの４６ドミニカ共和国の横列（１）では、スライド体４０４ａの方を上に浮かして挿入する。従って、４６ドミニカ共和国の文字は、隠れた状態になる。また、次の本体４０３ａの２ボスニア・ヘルツェコビナの文字の横列（２）では、スライド体４０４ａの方を下に沈めて挿入するので、。以下交互に、２ボスニア・ヘルツェコビナの文字は表われ、このようにして平織状に浮沈させて挿入する。
【００３３】
そして、次の頁の本体４０３ｂとスライド体４０４ｂでは、本体４０３ｂの６アルバニア共和国の横列（１）では、スライド体４０４ｂの方を下に沈めて挿入する。従って６アルバニア共和国は、顕在化して上に出る。また、次の本体４０３ｂの４２ブラジル連邦共和国の横列（２）では、スライド体４０４ｂの方を上に浮かして挿入する。従って、４２ブラジル連邦共和国は、スライド体４０４ａによって隠れた状態になる。以下交互に、平織状に浮沈させて挿入する。
【００３４】
本発明のカラクリ本４０１は、ジャバラ式４０２の折り畳み本になっている。図１０を裏面からみた図１１に示す表表紙４０５’が実際の表紙であり、絵と共に「不思議なカラクリ本」という表題になっている。また裏表紙４０６’が実際の本の裏面で、絵と共に「世界の国名と首都あて」となっている。
【００３５】
図１２は、このようにして本体４０３ａ…４０３ｄに、各スライド体４０４ａ…４０４ｄを挿入した状態を示している。一見ばらばらに見えた数値は、ａ列の場合、上から１ギリシャ共和国、２ボスニア・ヘルツェコビナ、３ユゴスラビア、４クロアチア共和国、５スロベニア共和国と整然とした配列になっている。
【００３６】
本発明のカラクリ本１は、本体の重なった頁間も開きうるようになっている。図１３は、図１２を矢印Ａの方向に折り畳んだ状態を示している。従って、ｂ列とｃ列は隠れ、ａ列とｄ列だけになっている。即ち、ａ列にはｂ列が重なっており、ｄ列にはｃ列が重なっている。この重なった状態にあるａ列の頁は、矢印Ｂの方向に開くことができる。また、重なった状態にあるｄ列の頁も、矢印Ｂ’の方向に開くことができる。
【００３７】
このようにして重なった頁ａ，ｄ間を開いた状態が、図１４にしめすものであり、新たな頁ｅ，ｆ，ｇ，ｈが表われている。これは、穿設したスリット筋４０７…４０７（ず１０）が均等で平行に、頁間に共通しているからなし得ることである。
【００３８】
図１５は、図１２の裏面を示しており、ｅ’，ｆ’，ｇ’，ｈ’の新たな頁が表われている。この図１５を矢印Ｃのように頁ｅ’の上にｆ’を重ね、矢印Ｃ’のように頁ｈ’の上にｇ’を重ねたものが図１６に示されている。図１６では、新たな頁ａ’，ｄ’が表われている。
【００３９】
本発明に記載する表示は、このような数字や国と首都名の文字に限られたものではない。即ち、絵や単語やアイドル名等、適宜表示して探索させることができる。そしてカラクリ本を、絵本にすることもできる。
【実施例３】
【００４０】
図１７は、本発明のカラクリパネルの更に別の例を示す、動力で開く表示板の斜視図、図１８は、図１７の機構の一部を示す斜視図である。
【００４１】
実施例３では、請求項４に記載の、パネル板を動力で開くようにした表示板の例について説明する。
【００４２】
本発明のカラクリパネル５０１は、図１７と図１８に示すように、本体５０３と本体５０３に挿入するスライド体５０４とからなっており、本体５０３とスライド体５０４は、金属製ないしプラスチック製のものからなっている。本体５０３の各パネル５０３ａ…５０３ｃと、これに対応する各スライド体５０４ａ…５０４ｃには、夫々広告や商品名が記載されている。そして、本体５０３は、横に何筋かの均等で平行なスリット筋５０７…５０７によって穿設し、（１）…（４）と横に分割されている。
【００４３】
パネル５０３ａの場合には、スライド体５０４ａが上がって、隠れていた部分が顕在化し、統一したＯ印の商品名の表示が表れている。またパネル５０３ｂの場合には、スライド体５０４ｂが隠れて、△印とＯ印の商品名が混在して表示されている。そしてパネル５０３ｃの場合には、スライド体５０４ｃが隠れて、全体に跨がる広告が表示されている。
【００４４】
本発明のカラクリパネル５０１は、壁面等を利用して取り付けられているが、各パネル５０３ａ…５０３ｃの開閉は、図示を省略しているが、間欠駆動のモ−タ５０８によって作動される。スライド体５０４ａの上下動について説明する。モ−タ５０８頂部には歯車５０９が、扇形歯車５１０の内面に歯合している。扇形歯車５１０の外面は欠損歯車になって、ウォ−ム歯車５１１が接触している。歯車５０４が矢印Ｄの方向に回転し、ウォ−ム歯車５１１が矢印Ｆの方向に進行した時、パネル５０３ａが左端に開いて、その時スライド体５０４ａが上に上がるようになっている。また時間の経過と共に、表示を次々と変化させ、飽きさせることのないようにすることもできる。
【００４５】
以上の実施例で上げた本発明のカラクリパネルは、スリット筋の数を、少数から多数まで可能な限り変化させることができる。また同じく枚数や頁数も、便利さの可能な限り、各種のものを製作することができる。
【産業上の利用可能性】
【００４６】
本発明は、答えを別に設けて考えさせる智恵玩具として、英単語の暗記用を始めとする学習力・思考力・記憶力を働かせる多くのグッズに使用されるものである。また材質も、紙製だけでなく、鉄やステンレスやプラスチックのものにし、大きさも大・中・小の遊戯機械を対象とした製品も可能であり、操作も手動だけでなく、壁面等を利用した機械操作によるものも可能である。記載内容も数値等に限らず、広告を始めとする内容のものにすることもでき、パネル告知板製品としても広く応用しうるものである。
【図面の簡単な説明】
【００４７】
【図１】本発明の本からなるカラクリパネルを俯瞰した一実施例を示す斜視図である。
【図２】図１の本発明のカラクリ本の本体と、本体に挿入する各スライド体を示す分解平面図である。
【図３】図１の本発明の本体に、各スライド体を挿入した状態を示す平面図である。
【図４】図１の本発明の本体に挿入した各スライド体を、摺動した状態を示す平面図である。
【図５】図１の本発明の本体に、各スライド体を挿入した状態を示す背面図である。
【図６】図１の本発明の本体に挿入した各スライド体を、摺動した状態を示す背面図である。
【図７】本発明の本からなるカラクリパネルを引き伸ばして俯瞰した別の例を示す斜視図である。
【図８】図７の本発明のカラクリ本を縮め本体の重なった頁間を開く途上の俯瞰した斜視図である。
【図９】図８の本発明のカラクリ本で開かれている頁を拡大したもので、（イ）は表紙裏面の拡大平面図、（ロ）は開かれた頁の拡大平面図、（ハ）裏表紙裏面の拡大平面図である。
【図１０】図７の本発明のカラクリ本の本体と、本体に挿入する各スライド体を示す分解平面図である。
【図１１】図７の本発明のカラクリ本の本体と、本体に挿入する各スライド体を示す分解背面図である。
【図１２】図７の本発明の本体に各スライド体を挿入した状態を示す平面図である。
【図１３】図１２を矢印Ａの方向に縮めた状態を示す平面図である。
【図１４】図１３を矢印Ｂ，Ｂの方向に中の頁を広げた状態を示す平面図である。
【図１５】図７の本発明の本体に各スライド体を挿入した状態を示す背面図である。
【図１６】図１５を矢印Ｃ，Ｃの方向に畳んだ状態を示す背面図である。
【図１７】本発明のカラクリパネルのさらに別の例を示す動力で開く表示板の斜視図である。
【図１８】図１７の機構の一部を示す斜視図である。
【符号の説明】
【００４８】
３０１，４０１，５０１        カラクリパネル
３０２，４０２               
ジャバラ式
３０３，４０３，５０３        本体
３０３ａ，ｂ，ｃ，ｄ          本体の各頁
３０３ａ’，ｂ’，ｃ’，ｄ’    本体裏面の各頁
５０３ａ，ｂ，ｃ             
本体の各パネル
３０４，４０４，５０４        スライド体
３０４ａ，ｂ，ｃ，ｄ          スライド体の各頁
３０４ａ’，ｂ’，ｃ’，ｄ’    スライド体裏面の各頁
５０４ａ，ｂ，ｃ              スライド体の各パネル
３０５，４０５               
表表紙
４０５’                     
表表紙の裏面（本の表紙）
３０６，４０６               
裏表紙
４０６’                     
裏表紙の裏面（本の裏）
３０７，４０７，５０７        スリット筋
５０８                       
モ−タ
５０９                       
軸歯車
５１０                       
扇形歯車
５１１                       
ウォーム歯車
（１）…（９）               
横の列
ａ〜ｈ，ａ’〜ｈ’            カラクリ本の各頁
Ａ，Ｂ，Ｃ                   
本の開閉の矢印
Ｄ                           
歯車の回転方向の矢印
Ｆ                           
ウォ−ム歯車の進行方向の矢印
【図１】
2005270140.tif 000003
【図２】
2005270140.tif 000004
【図３】
2005270140.tif 000005
【図４】
2005270140.tif 000006
【図５】
2005270140.tif 000007
【図６】
2005270140.tif 000008
【図７】
2005270140.tif 000009
【図８】
2005270140.tif 000010
【図９】
2005270140.tif 000011
【図１０】
2005270140.tif 000012
【図１１】
2005270140.tif 000013
【図１２】
2005270140.tif 000014
【図１３】
2005270140.tif 000015
【図１４】
2005270140.tif 000016
【図１５】
2005270140.tif 000017
【図１６】
2005270140.tif 000018
【図１７】
2005270140.tif 000019
【図１８】
2005270140.tif 000020